(57)【要約】  オーディオ信号入出力装置は、オーディオ信号を入力または出力するポートと、前記ポートに対して割り当てるべきチャンネルまたはバスの指定を受け付けるインタフェースと、前記インタフェースで受け付けた前記指定に基づいて、前記チャンネルまたは前記バスに割り当てるための情報を送信する送信部と、を備えている。
2019163702.tif 000002
【特許請求の範囲】
【請求項１】
オーディオ信号が入力または出力されるポートと、
前記ポートに対して割り当てるべきチャンネルの指定、または前記ポートに対して割り当てるべきバスの指定を受け付けるインタフェースと、
前記インタフェースで受け付けた前記指定に基づいて、前記チャンネルまたは前記バスに割り当てるための情報を管理装置に送信する送信部と、
を備えたオーディオ信号入出力装置。
【請求項２】
前記ポートに入力された前記オーディオ信号に基づいて放音するスピーカをさらに備えた、
請求項１に記載のオーディオ信号入出力装置。
【請求項３】
前記情報は、前記管理装置の所定の入力チャンネルに対して、前記ポートから入力される前記オーディオ信号を割り当てるための情報である、
請求項２に記載のオーディオ信号入出力装置。
【請求項４】
前記送信部は、ネットワークを介して前記情報を送信する、
請求項１乃至請求項３のいずれかに記載のオーディオ信号入出力装置。
【請求項５】
オーディオ信号が入力または出力されるポートと、
前記ポートに対して割り当てるべきチャンネルの指定、または前記ポートに対して割り当てるべきバスの指定を受け付けるインタフェースと、
前記インタフェースで受け付けた前記指定に基づいて、前記チャンネルまたは前記バスに割り当てるための情報を管理装置に送信する送信部と、
を備えたオーディオ信号入出力装置と、
前記情報を受信する受信部と、
前記情報に基づいて、対応する前記チャンネルまたは前記バスに、前記ポートを割り当てる処理部と、
を備えた前記管理装置と、
を有する音響システム。
【請求項６】
オーディオ信号が入力または出力されるポートに割り当てるべきチャンネルの指定、またはオーディオ信号が入力または出力されるポートに割り当てるべきバスの指定を受け付け、
受け付けた前記指定に基づいて、前記チャンネルまたは前記バスに割り当てるための情報を管理装置に送信する、
オーディオ信号入出力方法。
【請求項７】
前記ポートに入力された前記オーディオ信号に基づいてスピーカから放音する、
請求項６に記載のオーディオ信号入出力方法。
【請求項８】
前記情報は、前記管理装置の所定の入力チャンネルに対して、前記ポートから入力される前記オーディオ信号を割り当てるための情報である、
請求項７に記載のオーディオ信号入出力方法。
【請求項９】
ネットワークを介して前記情報を前記管理装置に送信する、
請求項６乃至請求項８のいずれかに記載のオーディオ信号入出力方法。
【請求項１０】
オーディオ信号が入力または出力されるポートに割り当てるべきチャンネルの指定、またはオーディオ信号が入力または出力されるポートに割り当てるべきバスの指定を受け付ける処理と、
受け付けた前記指定に基づいて、前記チャンネルまたは前記バスに割り当てるための情報を管理装置に送信する処理と、
をオーディオ信号入出力装置に実行させるプログラム。
【発明の詳細な説明】
【技術分野】
【０００１】
この発明の一実施形態は、オーディオ信号を入力するまたは出力するオーディオ信号入出力装置、該オーディオ信号入出力装置を備える音響システム、オーディオ信号入出力方法およびプログラムに関する。
【背景技術】
【０００２】
特許文献１には、複数のスピーカおよびサーバからなる音響システムが開示されている。該複数のスピーカおよびサーバは、ネットワークを介して接続される。サーバは、複数のスピーカのそれぞれに対して、識別子を付与する。これにより、ユーザは、音響システムにおける複数のスピーカを識別することができる。
【先行技術文献】
【特許文献】
【０００３】
【特許文献１】特開２００５−１７５７４５号公報
【発明の概要】
【発明が解決しようとする課題】
【０００４】
しかし、複数の機器のそれぞれに識別子が付与されたとしても、機器の数が増えると、ユーザは、どの機器にどのオーディオ信号を送信するか、またはどの機器からどのオーディオ信号を受信するか、設定することが困難である。【０００５】
そこで、この発明の一実施形態は、ユーザがどの機器にどのオーディオ信号を送信するか、またはどの機器からどのオーディオ信号を受信するか、容易に設定することができるオーディオ信号入出力装置、音響システム、オーディオ信号入出力方法およびプログラムを提供することを目的とする。
【課題を解決するための手段】
【０００６】
オーディオ信号入出力装置は、オーディオ信号を入力または出力するポートと、前記ポートに対して割り当てるべきチャンネルまたはバスの指定を受け付けるインタフェースと、前記インタフェースで受け付けた前記指定に基づいて、前記チャンネルまたは前記バスに割り当てるための情報を管理装置に送信する送信部と、を備えている。
【発明の効果】
【０００７】
ユーザは、どの機器にどのオーディオ信号を送信するか、またはどの機器からどのオーディオ信号を受信するか、容易に設定することができる。
【図面の簡単な説明】
【０００８】
【図１】音響システム１の構成を示すブロック図である。
【図２】スピーカの構成を示すブロック図である。
【図３Ａ】ミキサの構成を示すブロック図である。
【図３Ｂ】信号処理部、オーディオＩ／Ｏ、およびＣＰＵで行われる信号処理の等価ブロック図である。
【図４】スピーカ１３Ａの表示器１０１、オーディオＩ／Ｏ１０３、およびネットワークＩ／Ｆ１０６の外観の一例を示す図である。
【図５】スピーカ１３Ａの動作を示すフローチャートである。
【図６】ミキサ１１の動作を示すフローチャートである。
【図７】変形例１に係るユーザＩ／Ｆ１０２の例を示す図である。
【図８】変形例２に係るスピーカ１３Ａの表示器１０１、オーディオＩ／Ｏ１０３、およびネットワークＩ／Ｆ１０６の外観の一例を示す図である。
【図９】変形例３に係るユーザＩ／Ｆ１０２の例を示す図である。
【図１０】変形例４に係るスピーカの構成を示すブロック図である。
【図１１】変形例４に係るスピーカ１３Ａの表示器１０１、オーディオＩ／Ｏ１０３、ネットワークＩ／Ｆ１０６、およびＮＦＣＩ／Ｆ５０２の外観の一例を示す図である。
【図１２】変形例４に係るユーザ端末３０の構成を示すブロック図である。
【図１３】変形例４に係るユーザ端末３０の外観図である。
【図１４】変形例４に係るユーザ端末３０およびＮＦＣＩ／Ｆ５０２の関係を示す図である。
【発明を実施するための形態】
【０００９】
図１は、音響システムの構成を示すブロック図である。音響システム１は、ミキサ１１、複数のスイッチ（スイッチ１２Ａ、スイッチ１２Ｂ）、および複数のスピーカ（スピーカ１３Ａ〜スピーカ１３Ｆ）を備えている。
【００１０】
各機器は、ネットワークケーブルを介して接続されている。例えば、ミキサ１１は、スイッチ１２Ａに接続されている。スイッチ１２Ａは、スイッチ１２Ｂおよびスピーカ１３Ａに接続されている。スピーカ１３Ａ、スピーカ１３Ｂ、およびスピーカ１３Ｃは、デイジーチェーンで接続されている。また、スピーカ１３Ｄ、スピーカ１３Ｅ、およびスピーカ１３Ｆも、デイジーチェーンで接続されている。ただし、本発明において、機器間の接続は、図１に示す態様に限るものではない。また、各機器は、ネットワークで接続される必要はなく、例えばＵＳＢケーブル、ＨＤＭＩ（登録商標）、またはＭＩＤＩ等の通信線で接続されていてもよいし、デジタルオーディオケーブルで接続されていてもよい。
【００１１】
ミキサ１１は、本発明の管理装置の一例である。ミキサ１１は、ネットワークで接続されている他の機器からオーディオ信号を入力する、または他の機器に対してオーディオ信号を出力する。スピーカ１３Ａ〜スピーカ１３Ｆは、本発明のオーディオ信号入出力装置の一例である。なお、管理装置は、ミキサ１１に限らない。例えば、パーソナルコンピュータ等の情報処理装置も、管理装置の一例である。また、オーディオの録音、編集、またはミキシング等の作業を行なうためのハードウェアまたはソフトウェアからなるシステム（ＤＡＷ：Digital Audio Workstation）も、管理装置の一例である。
【００１２】
図２は、スピーカ１３Ａの構成を示すブロック図である。なお、スピーカ１３Ａ〜スピーカ１３Ｆは、全て同じ構成を有するため、図２では代表してスピーカ１３Ａの構成を示す。
【００１３】
スピーカ１３Ａは、表示器１０１、ユーザインタフェース（Ｉ／Ｆ）１０２、オーディオインタフェース（Ｉ／Ｆ）１０３、フラッシュメモリ１０４、ＲＡＭ１０５、ネットワークインタフェース（Ｉ／Ｆ）１０６、ＣＰＵ１０７、Ｄ／Ａ変換器１０８、アンプ１０９、およびスピーカユニット１１１を備えている。表示器１０１、ユーザインタフェース（Ｉ／Ｆ）１０２、オーディオインタフェース（Ｉ／Ｆ）１０３、フラッシュメモリ１０４、ＲＡＭ１０５、ネットワークインタフェース（Ｉ／Ｆ）１０６、ＣＰＵ１０７、およびＤ／Ａ変換器１０８は、バス１５１に接続されている。アンプ１０９は、Ｄ／Ａ変換器およびスピーカユニット１１１に接続されている。
【００１４】
表示器１０１は、例えばＬＣＤ（Liquid Crystal Display）またはＯＬＥＤ（Organic Light-Emitting Diode）等からなり、種々の情報を表示する。ユーザＩ／Ｆ１０２は、スイッチ、摘まみ、またはタッチパネル等からなり、ユーザの操作を受け付ける。ユーザＩ／Ｆ１０２がタッチパネルである場合、該ユーザＩ／Ｆ１０２は、表示器１０１とともに、ＧＵＩ（Graphical User Interface以下略）を構成する。
【００１５】
ＣＰＵ１０７は、記憶媒体であるフラッシュメモリ１０４に記憶されているプログラムをＲＡＭ１０５に読み出して、所定の機能を実現する。例えば、ＣＰＵ１０７は、表示器１０１にユーザの操作を受け付けるための画像を表示し、ユーザＩ／Ｆ１０２を介して、当該画像に対する選択操作等を受け付けることで、ＧＵＩを実現する。また、ＣＰＵ１０７は、ユーザＩ／Ｆ１０２で受け付けた内容に基づいて、スピーカ１３Ａをミキサ１１の特定のチャンネルまたはバスに割り当てるための情報を送信する。すなわち、ＣＰＵ１０７は、ネットワークＩ／Ｆ１０６とともに送信部として機能する。また、ＣＰＵ１０７は、ネットワークＩ／Ｆ１０６とともに受信部としても機能する。
【００１６】
なお、ＣＰＵ１０７が読み出すプログラムは、自装置内のフラッシュメモリ１０４に記憶されている必要はない。例えば、プログラムは、サーバ等の外部装置の記憶媒体に記憶されていてもよい。この場合、ＣＰＵ１０７は、該サーバから都度プログラムをＲＡＭ１０５に読み出して実行すればよい。
【００１７】
図３Ａは、ミキサ１１の構成を示すブロック図である。ミキサ１１は、表示器２０１、ユーザＩ／Ｆ２０２、オーディオＩ／Ｏ（Ｉｎｐｕｔ／Ｏｕｔｐｕｔ）２０３、信号処理部（ＤＳＰ）２０４、ネットワークＩ／Ｆ２０５、ＣＰＵ２０６、フラッシュメモリ２０７、およびＲＡＭ２０８を備えている。これら構成は、バス１７１を介して接続されている。
【００１８】
ＣＰＵ２０６は、ミキサ１１の動作を制御する制御部である。ＣＰＵ２０６は、記憶媒体であるフラッシュメモリ２０７に記憶された所定のプログラムをＲＡＭ２０８に読み出して実行することにより各種の動作を行なう。例えば、ＣＰＵ２０６は、ネットワークＩ／Ｆ２０５を介してスピーカ１３Ａから受信した情報に基づいて、特定のバスをスピーカ１３Ａに割り当てる。
【００１９】
なお、ＣＰＵ２０６が読み出すプログラムも、自装置内のフラッシュメモリ２０７に記憶されている必要はない。例えば、プログラムは、サーバ等の外部装置の記憶媒体に記憶されていてもよい。この場合、ＣＰＵ２０６は、該サーバから都度プログラムをＲＡＭ２０８に読み出して実行すればよい。
【００２０】
信号処理部２０４は、各種信号処理を行なうためのＤＳＰから構成される。信号処理部２０４は、オーディオＩ／Ｏ２０３またはネットワークＩ／Ｆ２０５を介して入力されるオーディオ信号に、ミキシング、イコライジング、またはコンプレッシング等の信号処理を施す。信号処理部２０４は、信号処理後のオーディオ信号を、オーディオＩ／Ｏ２０３またはネットワークＩ／Ｆ２０５を介して、スピーカ１３Ａ等の他の機器に出力する。
【００２１】
図３Ｂは、信号処理部２０４およびＣＰＵ２０６で実現される信号処理の機能的ブロック図である。図３Ｂに示すように、信号処理は、機能的に、入力パッチ３０１、入力チャンネル３０２、第１バス（＃１バス）３０３、および第２バス（＃２バス）３０４によって行なわれる。
【００２２】
入力チャンネル３０２は、一例として３２チャンネルの信号処理機能を有する。入力チャンネル３０２の各チャンネルには、入力パッチ３０１からオーディオ信号が供給される。入力チャンネル３０２の各チャンネルは、入力されたオーディオ信号に対して、各種の信号処理を施す。また、入力チャンネル３０２の各チャンネルは、信号処理後のオーディオ信号を、後段のバス（＃１バス３０３および＃２バス３０４）へ送出する。
【００２３】
＃１バス３０３および＃２バス３０４は、入力されるオーディオ信号をそれぞれミキシングして出力する。＃１バス３０３は、一例としてＳＴＬ（ステレオＬ）バスおよびＳＴＲ（ステレオＲ）バスを有する。＃２バス３０４は、一例としてＡＵＸ１からＡＵＸ１６までの１６個のバスを有する。
【００２４】
各バスから出力されるオーディオ信号は、不図示の出力チャンネルで信号処理が施される。その後、信号処理を施されたオーディオ信号は、オーディオＩ／Ｏ２０３またはネットワークＩ／Ｆ２０５に供給される。ミキサ１１は、各バスに割り当てられた機器に対してオーディオ信号を出力する。
【００２５】
例えば、各機器には、ＩＰアドレスが割り当てられている。ＣＰＵ１０７は、各バスに割り当てられたＩＰアドレスに対して、オーディオ信号に係るデータを送信する。図１の例では、ミキサ１１は、ネットワークで接続されるスピーカ１３Ａ〜スピーカ１３Ｆに対してそれぞれに割り当てられたバスのオーディオ信号を出力する。
【００２６】
そして、本実施形態の音響システム１では、ユーザが、スピーカ１３Ａ〜スピーカ１３Ｆを操作することで、バスの割り当てを指示することができる。
【００２７】
図４は、スピーカ１３Ａの表示器１０１、オーディオＩ／Ｏ１０３、およびネットワークＩ／Ｆ１０６の外観の一例を示す図である。これら表示器１０１、オーディオＩ／Ｏ１０３、およびネットワークＩ／Ｆ１０６は、スピーカ１３Ａの筐体の一部に設けられている。なお、この例では、表示器１０１には、ユーザＩ／Ｆ１０２としてタッチパネルが積層されているため、ＧＵＩが構成されている。
【００２８】
表示器１０１には、バスセットアップ画面が表示されている。バスセットアップ画面では、ミキサ１１のバスであるＡＵＸ１〜ＡＵＸ２、ＳＴＬおよびＳＴＲが表示されている。ユーザは、表示されたバスから、スピーカ１３Ａに割り当てたい任意のバスを選択する。
【００２９】
図５は、スピーカ１３Ａの動作を示すフローチャートである。ＣＰＵ１０７は、まず、ユーザＩ／Ｆ１０２に対して操作がなされたか否かを確認する（Ｓ１１）。ユーザＩ／Ｆ１０２が操作された場合（Ｓ１１がＹｅｓの場合）、該ユーザＩ／Ｆ１０２は、自装置に対して割り当てるべきバスの指定を受け付ける（Ｓ１２）。
【００３０】
ＣＰＵ１０７は、ユーザＩ／Ｆ１０２を介してバスの指定を受け付けると、当該バスに対応するＩＤをフラッシュメモリ１０４またはＲＡＭ１０５に記憶する（Ｓ１３）。各バスには、それぞれ固有のＩＤが割り当てられている。例えば、ＡＵＸ１には、ＩＤ：０００１、ＡＵＸ２には、ＩＤ：０００２、等のように、それぞれのバスに数ビット程度の固有の情報が割り当てられている。
【００３１】
その後、ＣＰＵ１０７は、ネットワーク上の他の機器として例えばミキサ１１からＩＤの問合せを受けたか否かを確認する（Ｓ１４）。なお、Ｓ１１の判断において、ユーザＩ／Ｆ１０２が操作されていない場合（Ｓ１１がＮｏの場合）、ＣＰＵ１０７は、Ｓ１２およびＳ１３の処理をスキップしてＳ１４の判断に進む。
【００３２】
ＣＰＵ１０７は、他の機器から問合せがなければ（Ｓ１４がＮｏであれば）、Ｓ１１の判断に戻る。ＣＰＵ１０７は、他の機器から問合せがあった場合（Ｓ１４がＹｅｓの場合）、フラッシュメモリ１０４またはＲＡＭ１０５からＩＤを読み出して、管理装置であるミキサ１１に送信する（Ｓ１５）。これにより、ミキサ１１にＩＤが通知される。なお、フラッシュメモリ１０４にＩＤを記憶している場合、スピーカ１３Ａは、電源を遮断した後に再起動しても、同じＩＤを送信することができる。そのため、例えばユーザがスピーカ１３Ａを異なる会場を移動させて、ネットワークの接続構成が変わった場合でも、同じＩＤが管理装置に送信されるため、バスの割り当てを再現することができる。
【００３３】
図６は、ミキサ１１の動作を示すフローチャートである。ミキサ１１のＣＰＵ２０６は、定期的に図６に示すフローチャートの動作を行う。ミキサ１１は、ネットワーク内の機器に対して、ＩＤの問合せを行う（Ｓ２１）。この問合せは、ネットワーク内の全ての機器に対してブロードキャストで送信してもよい。また、ＣＰＵ２０６は、ネットワークの各機器ＩＰアドレスと、対応するＩＤとを対応付けてフラッシュメモリ２０７またはＲＡＭ２０８に記憶しておき、対応するＩＤが無い特定の機器のＩＰアドレスを検出した場合に、該特定の機器に対して個別に問合せを送信してもよい。
【００３４】
ミキサ１１は、上記問合せに対して、各機器からＩＤの通知を受ける（Ｓ２２）。ミキサ１１は、各機器から受信した通知に、新たなＩＤが含まれているか否かを判断する（Ｓ２３）。ミキサ１１は、フラッシュメモリ２０７またはＲＡＭ２０８に記憶されていない新たなＩＤを発見した場合には（Ｓ２３がＹｅｓの場合）、該新たなＩＤに対応するバスと、該ＩＤを送信した機器のＩＰアドレスとを対応付けてフラッシュメモリ２０７またはＲＡＭ２０８に記憶し、対応機器を割り当てる（ｓ２４）。ミキサ１１は、新たなＩＤを発見しない場合には（Ｓ２３がＮｏの場合）、動作を終える。
【００３５】
以上のようにして、本実施形態の音響システム１では、スピーカ１３Ａ〜スピーカ１３Ｆの側から、バスの割り当てを指示することができる。これにより、ユーザは、設置された各スピーカから、必要な音を指定することができる。そのため、ユーザは、スピーカの設置数が多くなった場合でも、どのスピーカにどのバスのオーディオ信号を送信させるか、容易に設定することができる。つまり、ユーザは、スピーカを操作するだけで所望のバスの音を該スピーカから出力させることができる。例えば、あるスピーカが故障した場合等で、別のスピーカに置き換える必要がある場合に、ミキサの設定を変更する必要なく、置き換えた別のスピーカでバスの指定を行なうだけで、該スピーカに対して所望のバスからオーディオ信号を受信させることができる。
【００３６】
次に、図７は、変形例１に係るユーザＩ／Ｆ１０２の例を示す図である。図７の変形例１において、スピーカ１３Ａは、筐体の一部に、ユーザＩ／Ｆ１０２、オーディオＩ／Ｏ１０３、およびネットワークＩ／Ｆ１０６が設けられている。この変形例１では、スピーカ１３Ａは、表示器１０１が設けられていない。無論、変形例１においても、スピーカ１３Ａは、信号レベル等を表示するための表示器を備えていてもよい。
【００３７】
変形例１のスピーカ１３Ａは、ユーザＩ／Ｆ１０２の一例として、ディップスイッチを備えている。ディップスイッチの各切り替え点には、ミキサ１１における複数のバスであるＡＵＸ１〜ＡＵＸ２、ＳＴＬおよびＳＴＲが表示されている。ユーザは、ディップスイッチを切り替えて、表示されたバスから、スピーカ１３Ａに割り当てたい任意のバスを選択することができる。このように、バスの指定は、ＧＵＩを用いた態様に限るものではない。
【００３８】
次に、図８は、変形例２に係るスピーカ１３Ａの表示器１０１、オーディオＩ／Ｏ１０３、およびネットワークＩ／Ｆ１０６の外観の一例を示す図である。この例では、表示器１０１には、ユーザＩ／Ｆ１０２としてタッチパネルが積層され、ＧＵＩが構成されている。
【００３９】
変形例２に係るスピーカ１３Ａは、オーディオＩ／Ｏ１０３からオーディオ信号を入力する。スピーカ１３Ａは、オーディオＩ／Ｏ１０３から入力したオーディオ信号を、Ｄ／Ａ変換器１０８に出力する。アンプ１０９は、Ｄ／Ａ変換器１０８が出力するアナログオーディオ信号を増幅する。スピーカユニット１１１は、アンプ１０９が増幅したアナログオーディオ信号に基づいて音を出力する。これにより、スピーカ１３Ａは、オーディオＩ／Ｏ１０３に入力されたオーディオ信号に係る音をスピーカユニット１１１から出力する。
【００４０】
そして、スピーカ１３Ａは、オーディオＩ／Ｏ１０３から入力したオーディオ信号を、ネットワークＩ／Ｆ１０６を介して、ミキサ１１等の他装置に送信する。ミキサ１１は、スピーカ１３Ａから該オーディオ信号を受信して、スピーカ１３Ａに割り当てられた所定の入力チャンネルに該オーディオ信号を入力する。
【００４１】
変形例２に係るスピーカ１３Ａは、図８に示す様に、表示器１０１に、ミキサ１１における入力チャンネルの一覧が表示されている。ユーザは、表示された入力チャンネルから、スピーカ１３Ａに割り当てたい任意の入力チャンネルを選択する。スピーカ１３ＡのＣＰＵ１０７は、入力チャンネルの指定を受け付けると、当該入力チャンネルに対応するＩＤをフラッシュメモリ１０４またはＲＡＭ１０５に記憶する。この場合も、各入力チャンネルには、それぞれ固有のＩＤが割り当てられている。例えば、入力チャンネル１（Ｃｈ１）には、ＩＤ：０１０１、入力チャンネル２（Ｃｈ２）には、ＩＤ：０１０２、等のように、それぞれの入力チャンネルに数ビット程度の固有の情報が割り当てられている。
【００４２】
そして、ＣＰＵ１０７は、管理装置であるミキサ１１からＩＤの問合せを受けた場合に、フラッシュメモリ１０４またはＲＡＭ１０５からＩＤを読み出して、ミキサ１１に送信する。これにより、ミキサ１１にＩＤが通知される。ミキサ１１は、フラッシュメモリ２０７またはＲＡＭ２０８に記憶されていない新たなＩＤを発見した場合には、該新たなＩＤに対応する入力チャンネルと、該ＩＤを送信した機器のＩＰアドレスとを対応付けてフラッシュメモリ２０７またはＲＡＭ２０８に記憶し、該ＩＤを送信した機器を所定の入力チャンネルに割り当てる。
【００４３】
したがって、変形例２に係る音響システム１では、ユーザは、スピーカ１３Ａ〜スピーカ１３Ｆを用いて、ミキサ１１における入力チャンネルの割り当てを指示することができる。すなわち、スピーカ１３Ａ〜スピーカ１３Ｆは、簡易的にミキサ１１の入力パッチ３０１の機能を有する。これにより、スピーカ１３Ａ〜スピーカ１３Ｆは、オーディオＩ／Ｏ１０３に接続した楽器等の音を確認するためのモニタスピーカとして利用することができるとともに、ミキサ１１に対して当該楽器等の音に係るオーディオ信号を送信するＩ／Ｏ機器として利用することもできる。例えば、スピーカ１３ＡのオーディオＩ／Ｏ１０３にマイクを接続すれば、ネットワークを介してミキサ１１に該マイクのオーディオ信号を送信することができる。この様に、ユーザは、ネットワークＩ／Ｆを備えるＩ／Ｏ機器としてスピーカ１３Ａを利用することができる。
【００４４】
なお、この様な入力チャンネル側の割り当てを行なう場合であっても、図９の変形例３に示す様に、ディップスイッチ等のその他のハードウェアインタフェースを用いてユーザＩ／Ｆ１０２を構成してもよい。図９の変形例３のスピーカ１３Ａは、ユーザＩ／Ｆ１０２の一例として、入力ポート用のディップスイッチと、出力ポート用のディップスイッチと、を備えている。出力ポート用のディップスイッチの各切り替え点には、ミキサ１１における複数のバスであるＡＵＸ１〜ＡＵＸ２、ＳＴＬおよびＳＴＲが表示されている。入力ポート用のディップスイッチの各切り替え点には、ミキサ１１における複数の入力チャンネルであるＣｈ１〜Ｃｈ３２が表示されている。ユーザは、ディップスイッチを切り替えて、表示された入力チャンネルから、スピーカ１３Ａに割り当てたい任意の入力チャンネルを選択することができる。このように、入力チャンネルの指定も、ＧＵＩを用いた態様に限るものではない。
【００４５】
なお、本実施形態では、自装置であるスピーカ１３Ａ自体を１つの入力ポートまたは出力ポートとしてミキサ１１に割り当てる例を示した。しかし、スピーカ１３Ａは、複数のポートを備え、ポート毎に異なるバスまたは異なる入力チャンネルに割り当てるようにしてもよい。例えば、スピーカ１３Ａが入力ポート１および入力ポート２を有する場合に、入力ポート１および入力ポート２をそれぞれ別の入力Ｃｈ１および入力Ｃｈ２に割り当ててもよい。
【００４６】
また、スピーカ１３Ａは、信号処理を行なうためのＤＳＰを備えていてもよい。この場合、該ＤＳＰは、ネットワークＩ／Ｆ１０６を介して受信したオーディオ信号に信号処理を行なう。ＤＳＰは、信号処理を施した後のオーディオ信号を、Ｄ／Ａ変換器１０８に出力する。また、変形例２のようにオーディオＩ／Ｏ１０３からオーディオ信号を入力する場合には、ＤＳＰは、オーディオＩ／Ｏ１０３から入力したオーディオ信号に信号処理を行なう。ＤＰＳは、信号処理を行なった後のオーディオ信号を、Ｄ／Ａ変換器１０８に出力する。
【００４７】
本実施形態の説明は、すべての点で例示であって、制限的なものではない。本発明の範囲は、上述の実施形態ではなく、特許請求の範囲によって示される。さらに、本発明の範囲には、特許請求の範囲と均等の意味および範囲内でのすべての変更が含まれることが意図される。
【００４８】
例えば、本発明のインタフェースは、ユーザＩ／Ｆ１０２に限定されるものではない。図１０は、変形例４に係るスピーカ１３Ａの構成を示すブロック図である。変形例４に係るスピーカ１３Ａは、ユーザＩ／Ｆ１０２に代えて、ＮＦＣ（Near field communication）Ｉ／Ｆ５０２を備えている。
【００４９】
ＮＦＣＩ／Ｆ５０２は、図１１に示す様に、例えばスピーカ１３Ａの筐体の一部に設けられている。図１１の例では、ＮＦＣＩ／Ｆ５０２は、表示器１０１の近傍に設けられている。ＮＦＣＩ／Ｆ５０２は、通信インタフェースの一例であり、アンテナを介して他の機器との通信を行なう。ＮＦＣは、規格上、通信可能な距離が例えば１０ｃｍ等の至近距離に制限されている。そのため、ＮＦＣＩ／Ｆ５０２は、至近距離の機器に限り、通信を行なうことができる。無論、本発明に用いられる通信インタフェースは、ＮＦＣに限るものではない。
【００５０】
図１２は、利用者が用いる端末３０の構成例を示すブロック図である。端末３０は、例えばパーソナルコンピュータ、スマートフォン、またはタブレット型ＰＣ等の情報処理装置である。端末３０は、表示器３１、ＮＦＣＩ／Ｆ３２、フラッシュメモリ３３、ＲＡＭ３４、ＣＰＵ３５、およびタッチパネル３６を備えている。
【００５１】
図１３は、表示器３１に表示される画面の一例である。なお、表示器３１には、タッチパネル３６が積層され、ＧＵＩが構成されている。表示器３１は、図１３に示すようなバスセットアップ画面を表示する。バスセットアップ画面では、ミキサ１１のバスであるＡＵＸ１〜ＡＵＸ２、ＳＴＬおよびＳＴＲが表示されている。ユーザは、表示されたバスから、スピーカ１３Ａに割り当てたい任意のバスを選択する。図１３の例では、ユーザは、ＡＵＸ１のバスを選択している。この様な画面を表示し、バスの選択を受け付けるためのアプリケーションプログラムは、フラッシュメモリ３３に記憶されている。ＣＰＵ３５は、記憶媒体であるフラッシュメモリ３３に記憶されているアプリケーションプログラムをＲＡＭ３４に読み出して、上記の機能を実現する。
【００５２】
なお、ＣＰＵ３５が読み出すプログラムも、自装置内のフラッシュメモリ３３に記憶されている必要はない。例えば、プログラムは、サーバ等の外部装置の記憶媒体に記憶されていてもよい。この場合、ＣＰＵ３５は、該サーバから都度プログラムをＲＡＭ３４に読み出して実行すればよい。
【００５３】
ユーザは、図１４に示す様に、端末３０をスピーカ１３ＡのＮＦＣＩ／Ｆ５０２に近づける。端末３０には、ＮＦＣＩ／Ｆ３２が設けられている。ＣＰＵ３５は、ＮＦＣＩ／Ｆ３２を介して、ユーザが選択したバスに対応する情報を送信する。バスに対応する情報とは、例えば、上述の様に、各バスに割り当てられている固有のＩＤである。
【００５４】
スピーカ１３ＡのＣＰＵ１０７は、ＮＦＣＩ／Ｆ５０２を介してＩＤを受信する。ＣＰＵ１０７は、当該ＩＤをフラッシュメモリ１０４またはＲＡＭ１０５に記憶する。その後、ＣＰＵ１０７は、ネットワーク上の他の機器として例えばミキサ１１から問合せがあった場合、フラッシュメモリ１０４またはＲＡＭ１０５からＩＤを読み出して、管理装置であるミキサ１１に送信する。
【００５５】
この様にして、ＮＦＣＩ／Ｆを用いることでも、管理装置に対してバスの割り当てを指示することができる。ＮＦＣＩ／Ｆは、通信可能な距離が例えば１０ｃｍ等の至近距離に制限されている。そのため、ユーザは、スマートフォン等の端末を操作し、所望のスピーカに端末３０を近づける操作をするだけで、所望のバスの音を該所望のスピーカから出力させることができる。
【００５６】
なお、図１４の例では、ＣＰＵ１０７は、ＮＦＣＩ／Ｆ５０２を介して受信したＩＤに係るバスの名称（この例ではＡＵＸ１）を、表示器１０１に表示している。しかし、表示器１０１にバスの名称を表示することは、本発明において必須ではない。また、スピーカ１３Ａが表示器１０１を備えることも、本発明において必須ではない。
【符号の説明】
【００５７】
１…音響システム
１１…ミキサ
１２Ａ，１２Ｂ…スイッチ
１３Ａ、１３Ｂ，１３Ｃ，１３Ｄ，１３Ｅ，１３Ｆ…スピーカ
２０…ネットワーク
１０１…表示器
１０２…ユーザＩ／Ｆ
１０３…オーディオＩ／Ｏ
１０４…フラッシュメモリ
１０５…ＲＡＭ
１０６…ネットワークＩ／Ｆ
１０７…ＣＰＵ
１０８…Ｄ／Ａ変換器
１０９…アンプ
１１１…スピーカユニット
１５１…バス
１７１…バス
２０１…表示器
２０２…ユーザＩ／Ｆ
２０３…オーディオＩ／Ｏ
２０４…信号処理部
２０５…ネットワークＩ／Ｆ
２０６…ＣＰＵ
２０７…フラッシュメモリ
２０８…ＲＡＭ
３０１…入力パッチ
３０２…入力チャンネル
３０３…＃１バス
３０４…＃２バス
【図１】
2019163702.tif 000003
【図２】
2019163702.tif 000004
【図３Ａ】
2019163702.tif 000005
【図３Ｂ】
2019163702.tif 000006
【図４】
2019163702.tif 000007
【図５】
2019163702.tif 000008
【図６】
2019163702.tif 000009
【図７】
2019163702.tif 000010
【図８】
2019163702.tif 000011
【図９】
2019163702.tif 000012
【図１０】
2019163702.tif 000013
【図１１】
2019163702.tif 000014
【図１２】
2019163702.tif 000015
【図１３】
2019163702.tif 000016
【図１４】
2019163702.tif 000017
【国際調査報告】
2019163702.tif 000018
2019163702.tif 000019